(57)【要約】      （修正有）【課題】データの送受信中にハンドオーバーが発生すると瞬間的なデータの欠落が生じてしまうので、高信頼性を要求されるデータ通信では、ハンドオーバの回数を低減したい。【解決手段】  ハンドオーバを行う条件を音声通信モードとデータ通信モードでは異なるようにする。ＰＨＳ子機は、データ通信を行う場合には、大セルの基地局１０１と小セルの基地局１０２〜１０４のうち、大セルの基地局１０１に優先的にハンドオーバするようにハンドオーバ処理を行い、音声通信を行う場合は、基地局のセルの大きさに関係なくハンドオーバする。【選択図】    図１
2006304317.tif 000002
【特許請求の範囲】
【請求項１】
無線通信用携帯端末装置と基地局間で音声通信を行う音声通信モードとデータ通信を行うデータ通信モードにより通信を行うと共に、ハンドオーバ処理を行うことによって前記無線通信用携帯端末装置が一の基地局から他の基地局に通信先を移行するようにした移動体無線通信システムにおいて、
前記データ通信モードにおけるＲＳＳＩ値の閾値及びＦＥＲ値の閾値と、前記音声通信モードにおけるＲＳＳＩ値の閾値及びＦＥＲ値の閾値とを異なる値に設定し、測定された前記基地局のＲＳＳＩ値及びＦＥＲ値の実測値に関連する値と前記設定したＲＳＳＩ値及びＦＥＲ値の閾値との大小関係に基づいてハンドオーバ処理に移行することを特徴とするハンドオーバ処理方法。
【請求項２】
基地局との間で音声通信を行う音声通信モードとデータ通信を行うデータ通信モードにより通信を行うと共に、ハンドオーバ処理を行うことによって一の基地局から他の基地局に通信先を移行するようにした無線通信用携帯端末装置において、
データ通信モードと音声通信モードとを判別する通信モード判別手段と、
データ通信モードと音声通信モードとで異なる条件でハンドオーバ処理するためのハンドオーバ条件を記憶する記憶手段と、
前記通信モード判別手段がデータ通信モードと判別したとき、前記記憶手段に記憶したハンドオーバ条件に基づいて、ハンドオーバ処理する制御手段とを備え、
前記記憶手段は、データ通信モードにおける第１のＲＳＳＩ値の閾値及び第１のＦＥＲ値の閾値と、前記第１のＲＳＳＩ値及び第１のＦＥＲ値とは異なる値に設定される音声通信モードにおける第２のＲＳＳＩ値の閾値及び第２のＦＥＲ値とを記憶し、
前記制御手段は、基地局のＲＳＳＩ値及びＦＥＲ値の実測値に関連する値と前記設定したＲＳＳＩ値及びＦＥＲ値の大小関係に基づいてハンドオーバ処理に移行するか否かを判別することを特徴とする無線通信用携帯端末装置。
【発明の詳細な説明】
【技術分野】
【０００１】
本発明は、ＰＨＳ（Personal Handyphone System）や携帯電話等の無線通信用携帯端末装置と基地局間で無線通信を行うことにより、該無線通信用携帯端末装置と所望の通信相手間で無線通信を行うようにした移動体無線通信システムにおいて、無線通信用携帯端末装置と基地局間の無線接続切換を行うハンドオーバ処理方法、前記ハンドオーバ処理方法に使用する無線通信用携帯端末装置に関する。
【背景技術】
【０００２】
従来から、ＰＨＳ子機や携帯電話等の無線通信用携帯端末装置と基地局間で無線通信を行うことにより、該無線通信用携帯端末装置と所望の通信相手間で無線通信を行うようにした移動体無線通信システムが利用されている。
ＰＨＳや携帯電話システム等においては、無線通信用携帯端末装置が移動した場合でも通信を行えるように、基地局を切換えるハンドオーバという通信方法が実現されている。これは、無線通信用携帯端末装置である携帯型通信機（以下、ＰＳと称す。）が、固定局である基地局（以下、ＣＳと称す。）を介してネットワークに接続されている状態（以下、この通信経路をパス１と称す。）で、ＰＳが移動等に伴う通信品質の劣化を検出し、通信不能になる前に、パス１を介して通信中の状態で、他のＣＳを介した通信経路（以下、パス２と称す。）を確立した後、目的とする通信の経路を瞬時にパス１からパス２に切換える方法である。
これにより、目的とする通信の途絶はパスを切換える瞬間のみとなり、特に音声通話においては、通話者は瞬間的な途絶の影響を殆ど受けることがないという利点がある。
【発明の開示】
【発明が解決しようとする課題】
【０００３】
しかしながら、近年、ＰＨＳ等の無線通信用携帯端末装置を用いて、音声通信のみならず、データ通信が行われるようになっている。データ通信においては、ハンドオーバを適用しても、データの送受信途中にパスを切換えると、瞬間的にはデータの欠落が生じてしまうことになる。したがって、ハンドオーバの回数が多くなると、高信頼性が要求されるデータ通信には悪影響を及ぼしてしまうという問題がある。
【０００４】
また、電波伝播状態の変化に伴い、２つのパスには各々独立に品質の変化が起こり、必ずしもどちらかのパスが優れているという訳ではなく、無作為にパスを切換えた場合には、更に品質が劣化してしまうという問題があった。
【０００５】
これらの問題を解決する方法として、上位プロトコルにより再送制御を行うようにすることも考えられる。しかしながら、この方法ではデータ誤りやデータ欠落の復旧が可能ではあるが、再送を行うためにスループットが低下してしまい、高速な通信が困難になるという問題が生じる。
【０００６】
また、携帯電話システム等、無線通信用携帯端末装置と基地局との間で通信を行う際に、ハンドオーバを行うような他の通信システムにおいても前記同様の問題があった。
【０００７】
ところで、基地局には、無線エリアが大きい大セルと無線エリアが小さい小セルのものがあるため、データ通信時には、大セルの基地局に接続した方がハンドオーバの回数が低減でき、その結果、データの欠落等を抑制でき、通信品質の劣化を抑制することが可能になる。
【０００８】
本発明は、このような点に着目してなされたもので、高速で高品質なデータ通
信を可能にすることを課題としている。
【課題を解決するための手段】
【０００９】
本発明によれば、無線通信用携帯端末装置と基地局間で音声通信を行う音声通信モードとデータ通信を行うデータ通信モードにより通信を行うと共に、ハンドオーバ処理を行うことによって前記無線通信用携帯端末装置が一の基地局から他の基地局に通信先を移行するようにした移動体無線通信システムにおいて、  前記ハンドオーバ処理を行うための条件を、前記データ通信モードと音声通信モードとで異なるようにしたことを特徴とするハンドオーバ処理方法が提供される。ハンドオーバ処理条件を通信モードによって異なるようにしていいるため、通信モードに応じて適切なハンドオーバ処理が行われる。
【００１０】
ここで、前記データ通信モードでは、前記無線通信用携帯端末装置を大セルの基地局に優先的にハンドオーバするようにしてもよい。
【００１１】
また、前記データ通信モードでは、基地局に固有の識別記号に基づいて大セルの基地局を判別し、前記無線通信用携帯端末装置を該大セルの基地局に優先的にハンドオーバするようにしてもよい。
【００１２】
さらに、前記無線通信用携帯端末装置は所定間隔で周辺の基地局を検索し、前記データ通信モードでは、前記検索による出現回数が所定数以上の基地局を大セルの基地局として判別し、前記無線通信用携帯端末装置を該大セルの基地局に優先的にハンドオーバするようにしてもよい。
【００１３】
さらにまた、測定した基地局に対するＲＳＳＩ値は、大セルの基地局の場合、ＲＳＳＩ値が増加している基地局の場合、出現回数が所定回数以上の基地局の場合の中のいずれかのとき、これらの中の少なくとも一つを考慮してＲＳＳＩ値を補正し、前記補正されたＲＳＳＩ値の大きい基地局にハンドオーバするようにしてもよい。
【００１４】
また、所定間隔で基地局のＲＳＳＩ値を測定し、無線通信用携帯端末装置を、該測定したＲＳＳＩ値が増加している基地局に優先的に接続するようにしてもよい。
【００１５】
また、音声通信モードでは、前記無線通信用携帯端末装置を基地局のセルの大きさに関係無くハンドオーバするようにしてもよい。
【００１６】
また、データ通信モードにおけるＲＳＳＩ値の閾値及びＦＥＲ値の閾値と、音声通信モードにおけるＲＳＳＩ値の閾値及びＦＥＲ値の閾値とを異なる値に設定し、基地局のＲＳＳＩ値及びＦＥＲ値の実測値に関連する値と前記設定したＲＳＳＩ値及びＦＥＲ値の大小関係に基づいてハンドオーバ処理に移行するようにしてもよい。
【００１７】
また、本発明によれば、基地局との間で音声通信を行う音声通信モードとデータ通信を行うデータ通信モードにより通信を行うと共に、ハンドオーバ処理を行うことによって一の基地局から他の基地局に通信先を移行するようにした無線通信用携帯端末装置において、データ通信モードと音声通信モードとを判別する通信モード判別手段と、データ通信モードと音声通信モードとで異なる条件でハンドオーバ処理するためのハンドオーバ条件を記憶する記憶手段と、前記通信モード判別手段がデータ通信モードと判別したとき、前記記憶手段に記憶したハンドオーバ条件に基づいて、大セルの基地局に優先的にハンドオーバ処理する制御手段とを備えて成ることを特徴とする無線通信用携帯端末装置が提供される。通信モード判別手段がデータ通信モードと判別したとき、制御手段は、記憶手段に記憶したハンドオーバ条件に基づいて、大セルの基地局に優先的にハンドオーバ処理する。
【００１８】
ここで、前記制御手段は、前記データ通信モードでは、基地局に固有の識別記号に基づいて大セルの基地局を判別し、該大セルの基地局に優先的にハンドオーバ処理するように構成してもよい。
【００１９】
また、所定間隔で周辺基地局を検索する検索手段を備え、前記制御手段は、前記データ通信モードでは、前記検索手段の検索による出現回数が所定数以上の基地局を大セルの基地局として判別し、該大セルの基地局に優先的にハンドオーバ処理するように構成してもよい。
【００２０】
さらに、測定した基地局が大セルの基地局の場合、ＲＳＳＩ値が増加している基地局の場合、出現回数が所定回数以上の基地局の場合のいずれかのとき、これらの中の少なくとも一つを考慮してＲＳＳＩ値を補正する補正手段を備え、前記制御手段は、前記補正されたＲＳＳＩ値が大きい基地局を大セルと判断してハンドオーバ処理を行うように構成してもよい。
【００２１】
さらにまた、前記記憶手段は、データ通信モードにおける第１のＲＳＳＩ値の閾値及び第１のＦＥＲ値の閾値と、前記第１のＲＳＳＩ値及び第１のＦＥＲ値とは異なる値に設定される音声通信モードにおける第２のＲＳＳＩ値の閾値及び第２のＦＥＲ値とを記憶し、前記制御手段は、基地局のＲＳＳＩ値及びＦＥＲ値の実測値に関連する値と前記設定したＲＳＳＩ値及びＦＥＲ値の大小関係に基づいてハンドオーバ処理に移行するか否かを判別するように構成してもよい。
【発明の効果】
【００２２】
本発明によれば、高速で高品質なデータ通信が可能になる。また、データ通信モードでは大セルの基地局に優先的に接続することにより、ハンドオーバの回数を少なくすることができ、通信データの欠落等を抑制することが可能になる。
【発明を実施するための最良の形態】
【００２３】
以下、添付図面を参照して、本発明の実施の形態に係るハンドオーバ処理方法及び無線通信用携帯端末装置について説明する。尚、本実施の形態に使用する移動体無線通信システムとして、ＰＨＳの例を示している。
【００２４】
図１は、本実施の形態に使用するＰＨＳにおいて、各基地局が管理する無線エリアを示す図である。基地局には、低出力の基地局（小セルの基地局）と大出力の基地局（大セルの基地局）の２種類が存在しており、図１に示すように、大セルの基地局１０１は大きな無線エリア１０５を管理し、小セルの基地局１０２〜１０４は、各々、小さな無線エリア１０６〜１０８を管理している。
【００２５】
図２は、本実施の形態に使用するＰＨＳのシステム構成図である。本来のシステムでは複数の無線通信用携帯端末装置及び複数の基地局が使用されるが、図２では、説明を簡略化するために、一の無線通信用携帯端末装置と一の基地局を各々代表的に示している。尚、各無線通信用携帯端末装置は無線通信用携帯端末装置としてのＰＨＳ子機２０１と同様の構成のものが使用され又、他の基地局についても、大セルか小セルかの相違はあっても他の構成は基地局２０５と同様のものが使用される。
【００２６】
図２において、ＰＨＳ子機２０１は、アンテナ２０４を介して無線により音声やデータを送受信する無線部２０２と各種制御を行う制御手段としての制御部２０３とを備えている。制御部２０３は、後述する基地局テーブル等を記憶するＲＡＭ（random Access Memory）やプログラムを記憶したＲＯＭ（Read Only Memory）（いずれも図示せず）から成る無線通信用携帯端末装置用の記憶手段及び前記ＲＯＭに記憶されたプログラムによって動作する中央処理装置（ＣＰＵ）（図示せず）を有し、ハンドオーバ処理や選択した通信相手への発呼制御等の各種制御を行う。また、制御部２０３は、周辺基地局の検索、ＲＳＳＩ値やＦＥＲ値の測定等の処理も行う。
【００２７】
一方、基地局２０５は、アンテナ２０６を介して無線により音声やデータを送受信する無線部２０７と各種の通信制御を行う制御部２０８とを備えている。制御部２０８は、ＲＡＭ（random Access Memory）やプログラムを記憶したＲＯＭ（Read Only Memory）（いずれも図示せず）から成る基地局用の記憶手段及び前記ＲＯＭに記憶されたプログラムによって動作する中央処理装置（ＣＰＵ）（図示せず）を有し、ハンドオーバ処理等の各種制御を行う。基地局２０５は、交換機能等を有する基地局制御装置２０９を介して、通信網２１０に接続されている。通信網２１０としては、アナログ電話網、ＩＳＤＮ（サービス総合デジタル網）、無線通信回線網あるいはその他の通信回線網が使用される。尚、図２には示していないが、基地局制御装置２０９には、複数の基地局が接続される。
【００２８】
ＰＨＳ子機２０１と基地局２０５間は、例えば、ＴＤＭＡ（Time Division Multiple Access）を用いたデジタル通信によって音声やデータの通信が行われ、通信網２１０に接続された相手先と通話やデータの送受信を行うことができるように構成されている。
【００２９】
図３は、本実施の形態に使用する基地局テーブル３０１で、ＰＨＳ子機２０１の前記ＲＡＭに記憶される。基地局テーブル３０１は、ＰＨＳ子機２０１が検索を行った時点で検出している複数の基地局（換言すれば、ＰＨＳ子機２０１の周辺に存在する複数の基地局）の情報をテーブル化したものである。基地局テーブル３０１には、その時点でＰＨＳ子機２０１が検出している基地局ＣＳ１〜ＣＳ１０について、「受信電界強度（ＲＳＳＩ）」、所定時間間隔で測定したＲＳＳＩ値の今回測定値と前回測定値との差を表す「増減レベル」、及び、該基地局の「出現回数」が記録される。前記「出現回数」は、所定時間間隔で検索することにより現時点まで連続して検出できた基地局の検出回数（出現回数）が記録される。
【００３０】
図４〜図７は、ＰＨＳ子機２０１におけるハンドオーバ処理を示すフローチャートで、制御部２０３の前記ＲＯＭに記憶されたプログラムを前記ＣＰＵで処理することにより実行される。
【００３１】
以下、図１〜図７を用いて、本実施の形態について詳細に説明する。
【００３２】
先ず、図４において、ＰＨＳ子機２０１は、周辺の基地局の検索を行って、検出した基地局のＲＳＳＩ値を測定する（ステップＳ４０１）。図３に示すように、検出した周辺の基地局ＣＳ１〜ＣＳ１０について、ＲＳＳＩ値の大きい順に並べて基地局テーブル３０１を作成し、制御部２０３内の前記ＲＡＭに記憶する（ステップＳ４０２）。尚、初回の検索では、今回測定したＲＳＳＩ値と前回測定したＲＳＳＩ値との差に相当する「増減レベル」は測定できないため、図３の基地局テーブル３０１には増減レベルは記憶されない。また、各基地局ＣＳ１〜ＣＳ１０は今回初めて検出した基地局であるため、各基地局ＣＳ１〜ＣＳ１０の出現回数は全て１となる。
【００３３】
次に、ＰＨＳ子機２０１は、基地局テーブル３０１の先頭に配置された基地局ＣＳ１、即ち、測定したＲＳＳＩ値の最も大きい基地局ＣＳ１を選択して回線接続する（ステップＳ４０３）。
【００３４】
次に、通信内容が、音声通信（音声通信モード）か、あるいは、データ通信（データ通信モード；例えばＰＩＡＦＳ）かを判別する（ステップＳ４０４）。ここで、ステップＳ４０４は通信モード判別手段を構成している。通信内容がデータ通信（データ通信モード）の場合には、ＲＳＳＩ値の実測値が予め定めた所定の閾値（データ通信モードにおける第１のＲＳＳＩ値の閾値）Ｒ１より小さいか否かを判別する（ステップＳ４０５）。ここで、ステップＳ４０５はＲＳＳＩ値比較手段を構成している。
【００３５】
ＲＳＳＩ値の実測値が閾値Ｒ１より小さくない場合には、ＦＥＲ値の実測値が予め定めた所定の閾値（データ通信モードにおける第１のＦＥＲ値の閾値）Ｆ１より大きいか否かを判別する（ステップＳ４０６）。ここで、ステップＳ４０６はＦＥＲ値比較手段を構成している。また、ステップＳ４０５及びステップＳ４０６は閾値比較手段を構成している。ＦＥＲ値の実測値が閾値Ｆ１より大きくないと判別した場合には、ハンドオーバの必要性が無いと判別してステップＳ４０５に戻る。
【００３６】
一方、ステップＳ４０５において、ＲＳＳＩ値の実測値が閾値Ｒ１より小さいと判別した場合、及び、ステップＳ４０６においてＦＥＲ値の実測値が閾値Ｆ１より大きいと判別した場合には、ハンドオーバの必要性があると判別して、周辺基地局の検索を開始する（ステップＳ４０７）。このとき、検出した基地局のＲＳＳＩ値の補正を行った後（ステップＳ４０８）、補正後のＲＳＳＩ値が大きい順に各基地局を整列させて、図３の基地局テーブル３０１を作成、更新して前記ＲＡＭに記憶する（ステップＳ５０１）。
【００３７】
ＲＳＳＩ値の補正方法としては、測定した基地局が大セルの基地局の場合、ＲＳＳＩ値が増加している基地局の場合、検索による出現回数が所定回数以上の基地局のいずれかの場合に、これらの場合の少なくとも一つを考慮して、優先的にハンドオーバする方向に該測定した基地局に対するＲＳＳＩ値を補正する。例えば、今回検出した基地局について今回測定したＲＳＳＩ値に対して、該基地局が大セルの基地局の場合にはＡ（予め定めた所定値）dBを加算し、今回測定したＲＳＳＩ値が前回測定したＲＳＳＩ値よりも増加している基地局の場合にはＢ（予め定めた所定値）dBを加算し、今回検出した基地局の出現回数が複数回の場合には出現回数×Ｃ（予め定めた所定値）dBを加算することにより行う。
【００３８】
尚、大セルか否かの判別は、例えば、各基地局を表す固有の識別コード（基地局ＩＤ）によって判別する方法や、大セルは出現回数が多いと予測されるため出現回数が所定回数以上の基地局を大セルと判別する方法等がある。
【００３９】
以上のようにして得られた補正後のＲＳＳＩ値を各基地局毎に、基地局テーブル３０１の「受信電界強度（ＲＳＳＩ）」の欄に記憶し、併せて、「増減レベル」、「出現回数」の欄にも各データを記憶し、補正後のＲＳＳＩ値の大きい順に並べる。尚、今回の基地局検索で初めて検出された基地局は、増減レベルは零であり又出現回数は１となる。
【００４０】
次に、基地局テーブル３０１の先頭に位置する基地局（補正後のＲＳＳＩ値が最も大きい基地局であり、大セルと期待される基地局）を選択して発呼し接続を試みる（ステップＳ５０２）。該選択した基地局に空きチャネルが存在し、これと接続できた場合には、測定基地局更新用タイマを起動すると共に、移動検出タイマを起動する（ステップＳ５０３、Ｓ５０４）。尚、測定基地局更新用タイマ及び移動検出タイマは制御部２０３におけるＣＰＵの機能として実現される。
【００４１】
一方、ステップＳ５０３において、前記選択した基地局と呼接続できなかった場合には、基地局テーブル３０１の次候補の基地局（基地局テーブル３０１の先頭から２番目の基地局）を選択して呼接続を試みた後（ステップＳ５０５）、再びステップＳ５０３に移行して、いずれかの基地局と接続するまで順に繰り返す。
【００４２】
ステップＳ５０４において測定基地局更新用タイマ及び移動検出タイマを起動した後、測定基地局更新用タイマが予め定めた所定時間Ｔ１経過したことを検出すると（ステップＳ５０６）、周辺基地局の検索を開始し（ステップＳ５０７）、前記同様にして基地局テーブル３０１を更新する（ステップＳ５０８）。ステップＳ５０６において、所定時間経過していない場合には、ＲＳＳＩ値の実測値が閾値Ｒ１より小さいか否かを判別する（ステップＳ５１１）。ＲＳＳＩ値の実測値が閾値Ｒ１よりも小さくない場合には、ＦＥＲ値の実測値が閾値Ｆ１より大きいか否かを判別する（ステップＳ５１２）。ＦＥＲ値の実測値が閾値Ｆ１よりも大きくない場合には、ハンドオーバの必要性はないと判別してステップＳ５０６に戻る。
【００４３】
ステップＳ５１１において、ＲＳＳＩ値の実測値が閾値Ｒ１より小さいと判別した場合や、ステップＳ５１２において、ＦＥＲ値の実測値が閾値Ｆ１より大きいと判別した場合には、ハンドオーバの必要性が生じたと判別して、ステップＳ４０７以降のハンドオーバ処理に移行して、ハンドオーバ処理を行う。
【００４４】
ステップＳ５０８において、前記同様にして基地局テーブル３０１を更新した後、移動検出タイマが予め定めた所定時間Ｔ２を経過したか否かを判別し（ステップＳ５０９）、所定時間Ｔ２経過していなければステップＳ５０６に戻る。ステップＳ５０９において、移動検出タイマが所定時間Ｔ２経過したと判別すると、ＰＨＳ子機２０１は移動していない（静止状態にある）と判別する。静止状態ではハンドオーバを行う必要はないため、基地局テーブル３０１におけるＲＳＳＩ値の補正値を零、即ち、基地局テーブル３０１のＲＳＳＩ値を測定したＲＳＳＩ値そのものに設定し（ステップＳ５１０）、ステップＳ４０５に移行する。
【００４５】
一方、ステップＳ４０４において通信内容が音声（音声通信モード）と判別した場合には、ＲＳＳＩ値の実測値が音声用に予め定めた閾値Ｒ２（音声通信モードにおける第２のＲＳＳＩ値の閾値）より小さいか否かを判別する（図６のステップＳ６０１）。ここで、ステップＳ６０１はＲＳＳＩ値比較手段を構成している。ＲＳＳＩ値の実測値が閾値Ｒ２よりも小さくない場合には、ＦＥＲ値の実測値が音声用に予め定めた閾値Ｆ２（音声通信モードにおける第２のＦＥＲ値の閾値）より大きいか否かを判別する（ステップＳ６０２）。ここで、ステップＳ６０２はＦＥＲ値比較手段を構成している。また、ステップＳ６０１及びステップＳ６０２は閾値比較手段を構成している。ＦＥＲ値の実測値が閾値Ｆ２よりも大きくない場合には、ハンドオーバの必要性はないと判別してステップＳ６０１に戻る。
【００４６】
ステップＳ６０１において、ＲＳＳＩ値の実測値が閾値Ｒ２より小さいと判別した場合や、ステップＳ６０２において、ＦＥＲ値の実測値が閾値Ｆ２より大きいと判別した場合には、ハンドオーバの必要性が生じたと判別して、ステップＳ６０３に移行して、ハンドオーバ処理を行う。即ち、ステップＳ６０１においてＲＳＳＩ値の実測値が閾値Ｒ２より小さいと判別した場合、及び、ステップＳ６０２においてＦＥＲ値の実測値が閾値Ｆ２より大きいと判別した場合には、ハンドオーバの必要性があると判別して、周辺基地局の検索を開始する（ステップＳ６０３）。次に、検出した基地局のＲＳＳＩ値の補正を行った後（ステップＳ６０４）、補正後のＲＳＳＩ値が大きい順に各基地局を整列させて、図３の基地局テーブル３０１を作成、更新して前記ＲＡＭに記憶する（ステップＳ６０５）。
【００４７】
ステップＳ６０４におけるＲＳＳＩ値の補正方法としては、測定したＲＳＳＩ値が前回測定したＲＳＳＩ値よりも増加している基地局の場合にはＢ（予め定めた所定値）dBを加算するようにする。以上のようにして得られた補正後のＲＳＳＩ値を各基地局毎に、図３の「受信電界強度（ＲＳＳＩ）」の欄に記憶し、併せて、「増減レベル」、「出現回数」の欄にも各データを記憶する（ステップＳ６０５）。今回の基地局検索で初めて検出された基地局は、増減レベルは零であり又出現回数は１となる。
【００４８】
尚、通信内容がデータ通信の場合には、データの欠落を防止する必要性から、極力ハンドオーバが生じないように、大セルの基地局に優先的に接続するようにハンドオーバ処理したが、音声通信の場合にはハンドオーバの回数が多くても通信品質の良い基地局に対して速やかにハンドオーバが行われれば十分であり、必ずしも大セルに接続する必要性はないため、測定したＲＳＳＩ値が増加している基地局（無線通信用携帯端末装置の移動に伴って電界強度が大きくなる基地局）に優先的に接続するようにＲＳＳＩ値の補正を行っている。
【００４９】
次に、測定基地局テーブル３０１の先頭に位置する基地局（補正後のＲＳＳＩ値が最も大きい基地局であり、ハンドオーバ後に最も良好な通信品質が得られると期待できる基地局）を選択して呼接続を試みる（ステップＳ６０６）。該選択した基地局に空きチャネルが存在し、これと接続できた場合には、測定基地局更新用タイマを起動すると共に、移動検出タイマを起動する（ステップＳ６０７、Ｓ６０８）。一方、ステップＳ６０７において、選択した基地局と接続できなかった場合には、基地局テーブル３０１の次候補の基地局（基地局テーブル３０１の２番目の基地局）を選択して呼接続を試みた後（ステップＳ６０９）、再びステップＳ６０７に移行する。
【００５０】
ステップＳ６０８において測定基地局更新用タイマ及び移動検出タイマを起動した後、測定基地局更新用タイマが予め定めた所定時間Ｔ１経過したことを検出すると（図７のステップＳ７０１）、周辺基地局の検索を開始し（ステップＳ７０２）、前記同様にして基地局テーブル３０１を更新する（ステップＳ７０３）。ステップＳ７０１において、所定時間経過していない場合には、ＲＳＳＩ値の実測値が閾値Ｒ２より小さいか否かを判別する（ステップＳ７０６）。ＲＳＳＩ値の実測値が閾値Ｒ２よりも小さくない場合には、ＦＥＲ値の実測値が閾値Ｆ２より大きいか否かを判別する（ステップＳ７０７）。ＦＥＲ値の実測値が閾値Ｆ２よりも大きくない場合には、ハンドオーバの必要性はないと判別してステップＳ７０１に戻る。
【００５１】
ステップＳ７０６において、ＲＳＳＩ値の実測値が閾値Ｒ２より小さいと判別した場合や、ステップＳ７０７において、ＦＥＲ値の実測値が閾値Ｆ２より大きいと判別した場合には、ハンドオーバの必要性が生じたと判別して、ステップＳ６０３以降のハンドオーバ処理に移行して、ハンドオーバ処理を行う。
【００５２】
ステップＳ７０３において基地局テーブル３０１を更新した後、移動検出タイマが予め定めた所定時間Ｔ２を経過したか否かを判別し（ステップＳ７０４）、所定時間経過していなければステップＳ７０１に戻る。ステップＳ７０４において、移動検出タイマが所定時間Ｔ２経過したと判別すると、ＰＨＳ子機２０１は移動していないと判別して、基地テーブル３０１におけるＲＳＳＩ値の補正値を零（ＲＳＳＩ値が増加している基地局に対する補正値を零）、即ち、ＲＳＳＩ値の実測値に設定し（ステップＳ７０５）、ステップＳ６０１に移行する。以後、上記処理を繰り返す。
【００５３】
以上述べたように、本発明の実施の形態に係るハンドオーバ処理方法は、ＰＨＳ子機と基地局間で音声通信を行う音声通信モードとデータ通信を行うデータ通信モードにより通信を行うと共に、ハンドオーバ処理を行うことによって前記ＰＨＳ子機が一の基地局から他の基地局に通信先を移行するようにした移動体無線通信システムにおいて、前記ハンドオーバ処理を行うための条件を、前記データ通信モードと音声通信モードとで異なるようにしている。したがって、データ通信は極力ハンドオーバが生じないようにし、音声通信は単に通信品質のよい基地局にハンドオーバする等、利用態様に応じた適切なハンドオーバ処理を行うことが可能になる。また、再送制御を利用する必要性が低くなるため高速なデータ伝送が可能になる。
【００５４】
ここで、前記データ通信モードでは、ＰＨＳ子機を大セルの基地局に優先的にハンドオーバさせることにより、ハンドオーバの回数を低減させることが可能になる。
【００５５】
また、前記データ通信モードでは、基地局に固有の識別記号に基づいて大セルの基地局を判別し、前記無線通信用携帯端末装置を該大セルの基地局に優先的にハンドオーバすることにより、容易に大セルの基地局にハンドオーバすることが可能になる。
【００５６】
さらに、ＰＨＳ子機は所定間隔で周辺の基地局を検索し、前記データ通信モードでは、前記検索による出現回数が所定数以上の基地局を大セルの基地局として判別し、前記無線通信用携帯端末装置を該大セルの基地局に優先的にハンドオーバすることにより、識別記号が不明な大セルの基地局に容易にハンドオーバすることが可能になる。
【００５７】
さらにまた、測定した基地局に対するＲＳＳＩ値は、大セルの基地局の場合、ＲＳＳＩ値が増加している基地局の場合、出現回数が所定回数以上の基地局の場合の中のいずれかのとき、これらの中の少なくとも一つを考慮してＲＳＳＩ値を補正し、前記補正されたＲＳＳＩ値の大きい基地局にハンドオーバすることにより、適切な基地局にハンドオーバすることが可能になる。
【００５８】
また、所定間隔で基地局のＲＳＳＩ値を測定し、ＰＨＳ子機を、該測定したＲＳＳＩ値が増加している基地局に優先的に接続することによって、より適切な基地局にハンドオーバすることが可能になる。
【００５９】
また、音声通信モードでは、ＰＨＳ子機を基地局のセルの大きさに関係無くハンドオーバすることにより、ハンドオーバ処理を簡略化することが可能になる。
【００６０】
また、データ通信モードにおけるＲＳＳＩ値の閾値及びＦＥＲ値の閾値と、音声通信モードにおけるＲＳＳＩ値の閾値及びＦＥＲ値の閾値とを異なる値に設定し、基地局のＲＳＳＩ値及びＦＥＲ値の実測値に関連する値と前記設定したＲＳＳＩ値及びＦＥＲ値の大小関係に基づいてハンドオーバ処理に移行することにより、通信モードに応じて適切なハンドオーバ移行処理が可能になる。
【００６１】
また、本発明の実施の形態に係る無線通信用携帯端末装置は、基地局との間で音声通信を行う音声通信モードとデータ通信を行うデータ通信モードにより通信を行うと共に、ハンドオーバ処理を行うことによって一の基地局から他の基地局に通信先を移行するようにしたＰＨＳ子機において、データ通信モードと音声通信モードとを判別する通信モード判別手段と、データ通信モードと音声通信モードとで異なる条件でハンドオーバ処理するためのハンドオーバ条件を記憶する記憶手段と、前記通信モード判別手段がデータ通信モードと判別したとき、前記記憶手段に記憶したハンドオーバ条件に基づいて、大セルの基地局に優先的にハンドオーバ処理する制御手段とを備えている。したがって、データ通信は極力ハンドオーバが生じないようにすることが可能になる。また、再送制御を利用する必要性が低くなるため高速なデータ伝送が可能になる。
【００６２】
ここで、前記制御手段は、前記データ通信モードでは、基地局に固有の識別記号に基づいて大セルの基地局を判別し、該大セルの基地局に優先的にハンドオーバ処理するように構成することにより、ハンドオーバの回数を低減でき、通信データの欠落を防止することが可能になる。
【００６３】
また、所定間隔で周辺基地局を検索する検索手段を備え、前記制御手段は、前記データ通信モードでは、前記検索手段の検索による出現回数が所定数以上の基地局を大セルの基地局として判別し、該大セルの基地局に優先的にハンドオーバ処理するように構成することにより、基地局の識別記号が不明の場合でも、容易に大セルの基地局にハンドオーバすることが可能になる。
【００６４】
さらに、測定した基地局が大セルの基地局の場合、ＲＳＳＩ値が増加している基地局の場合、出現回数が所定回数以上の基地局の場合のいずれかのとき、これらの中の少なくとも一つを考慮してＲＳＳＩ値を補正する補正手段を備え、前記制御手段は、前記補正されたＲＳＳＩ値が大きい基地局を大セルと判断してハンドオーバ処理を行うように構成することによって、より適切な基地局にハンドオーバすることが可能になる。
【００６５】
さらにまた、前記記憶手段は、データ通信モードにおける第１のＲＳＳＩ値の閾値及び第１のＦＥＲ値の閾値と、前記第１のＲＳＳＩ値及び第１のＦＥＲ値とは異なる値に設定される音声通信モードにおける第２のＲＳＳＩ値の閾値及び第２のＦＥＲ値とを記憶し、前記制御手段は、基地局のＲＳＳＩ値及びＦＥＲ値の実測値に関連する値と前記設定したＲＳＳＩ値及びＦＥＲ値の大小関係に基づいてハンドオーバ処理に移行するか否かを判別するように構成することにより、適切なハンドオーバ移行処理が可能になる。
【００６６】
尚、本実施の形態においては、無線通信用携帯端末装置の例としてＰＨＳ子機の例で説明したが、ＰＨＳ内蔵カードや携帯電話等、他の無線通信用携帯端末装置にも適用することが可能である。
【図面の簡単な説明】
【００６７】
【図１】本発明の実施の形態に使用するＰＨＳの無線エリアを示す図である。
【図２】本発明の実施の形態に使用するＰＨＳのシステム構成図である。
【図３】本発明の実施の形態に使用する基地局テーブルを示す図である。
【図４】本発明の実施の形態に係る無線通信用携帯端末装置の処理を示すフローチャートである。
【図５】本発明の実施の形態に係る無線通信用携帯端末装置の処理を示すフローチャートである。
【図６】本発明の実施の形態に係る無線通信用携帯端末装置の処理を示すフローチャートである。
【図７】本発明の実施の形態に係る無線通信用携帯端末装置の処理を示すフローチャートである。
【符号の説明】
【００６８】
１０１・・・大セル用基地局
１０２〜１０３・・・小セル用基地局
１０５〜１０８・・・無線エリア
２０１・・・無線通信用携帯端末装置
２０２、２０７・・・無線部
２０３・・・制御手段としての制御部
２０３・・・制御部
２０５・・・基地局
２０９・・・基地局制御装置
２１０・・・通信網
３０１・・・基地局テーブル
【図１】
2006304317.tif 000003
【図２】
2006304317.tif 000004
【図３】
2006304317.tif 000005
【図４】
2006304317.tif 000006
【図５】
2006304317.tif 000007
【図６】
2006304317.tif 000008
【図７】
2006304317.tif 000009